【手続補正書】
【提出日】平成25年3月14日(2013.3.14)
【手続補正１】
【補正対象書類名】明細書
【補正対象項目名】発明の名称
【補正方法】変更
【補正の内容】
【発明の名称】プリペイドカード処理装置、プリペイドカード処理システム、プリペイドカード処理装置の処理方法
【手続補正２】
【補正対象書類名】明細書
【補正対象項目名】０００１
【補正方法】変更
【補正の内容】
【０００１】
プリペイドカードを有効化する有効化サーバーと接続されて用いられ、当該プリペイドカードの有効化要求を行うプリペイドカード処理装置、プリペイドカード処理システム、プリペイドカード処理装置の処理方法に関するものである。
【手続補正３】
【補正対象書類名】明細書
【補正対象項目名】０００５
【補正方法】変更
【補正の内容】
【０００５】
本発明は、上記の問題点に鑑み、ＰＯＳシステムの入れ替え等を必要とすることなく、低コストで、管理型プリペイドカードの処理システムを導入可能なプリペイドカード処理装置、プリペイドカード処理システム、プリペイドカード処理装置の処理方法を提供することを目的とする。
【手続補正４】
【補正対象書類名】明細書
【補正対象項目名】０００７
【補正方法】変更
【補正の内容】
【０００７】
本発明のプリペイドカード処理装置の処理方法は、プリペイドカードを有効化する有効化サーバー、当該プリペイドカードを含む商品の商品情報を入力する商品情報入力装置、および当該プリペイドカードを含む商品の会計処理を行うＰＯＳ端末と接続されて用いられるプリペイドカード処理装置の処理方法であって、プリペイドカード処理装置が、商品情報入力装置から、商品情報を取得する商品情報取得ステップと、取得した商品情報が、有効化を必要とするプリペイドカードであるか否かを判別する商品情報判別ステップと、商品情報がプリペイドカードである場合、当該商品情報をＰＯＳ端末が解釈可能な商品情報データに変換する商品情報変換ステップと、商品情報データを、ＰＯＳ端末に出力する商品情報データ出力ステップと、商品情報がプリペイドカードである場合、有効化サーバーに対し、商品情報を送信して有効化要求を行う有効化要求ステップと、を備えたことを特徴とする。
【手続補正５】
【補正対象書類名】明細書
【補正対象項目名】０００９
【補正方法】変更
【補正の内容】
【０００９】
上記に記載のプリペイドカード処理装置において、有効化サーバーから、有効化要求に対する承認を示す有効化メッセージを取得する有効化メッセージ取得部をさらに備え、商品情報変換部は、有効化メッセージの取得後に、商品情報を商品情報データに変換することが好ましい。
上記に記載のプリペイドカード処理装置の処理方法において、有効化サーバーから、有効化要求に対する承認を示す有効化メッセージを取得する有効化メッセージ取得ステップをさらに備え、商品情報変換ステップは、有効化メッセージの取得後に、商品情報を商品情報データに変換することが好ましい。
【手続補正６】
【補正対象書類名】明細書
【補正対象項目名】００１１
【補正方法】変更
【補正の内容】
【００１１】
上記に記載のプリペイドカード処理装置において、レシートを発行する印刷装置とさらに接続されて用いられ、ＰＯＳ端末から、商品情報データに基づくレシート印刷データを取得するレシート印刷データ取得部と、取得したレシート印刷データを、印刷装置に出力するレシート印刷データ出力部と、をさらに備えたことが好ましい。
上記に記載のプリペイドカード処理装置の処理方法において、プリペイドカード処理装置は、レシートを発行する印刷装置がさらに接続され、ＰＯＳ端末から、商品情報データに基づくレシート印刷データを取得するレシート印刷データ取得ステップと、取得したレシート印刷データを、印刷装置に出力するレシート印刷データ出力ステップと、をさらに備えたことが好ましい。
【手続補正７】
【補正対象書類名】明細書
【補正対象項目名】００１３
【補正方法】変更
【補正の内容】
【００１３】
上記に記載のプリペイドカード処理装置において、ＰＯＳ端末から、商品情報データに基づくレシート印刷データを取得するレシート印刷データ取得部と、取得したレシート印刷データに含まれる商品情報が、プリペイドカードであるか否かを判別するレシート印刷データ判別部と、をさらに備え、有効化要求部は、レシート印刷データ判別部により、商品情報がプリペイドカードであると判別された場合、有効化要求を行うことが好ましい。
上記に記載のプリペイドカード処理装置の処理方法において、ＰＯＳ端末から、商品情報データに基づくレシート印刷データを取得するレシート印刷データ取得ステップと、取得したレシート印刷データに含まれる商品情報が、プリペイドカードであるか否かを判別するレシート印刷データ判別ステップと、をさらに備え、有効化要求ステップは、レシート印刷データ判別ステップにより、商品情報がプリペイドカードであると判別された場合、有効化要求を行うことが好ましい。
【手続補正８】
【補正対象書類名】明細書
【補正対象項目名】００１５
【補正方法】変更
【補正の内容】
【００１５】
上記に記載のプリペイドカード処理装置において、商品情報判別部により、取得した商品情報がプリペイドカードであると判別された場合、当該商品情報を一時的に記憶する一時記憶部をさらに備え、レシート印刷データ判別部は、取得したレシート印刷データに含まれる商品情報が一時記憶部に記憶されている場合、商品情報がプリペイドカードであると判別し、有効化要求部は、一時記憶部に記憶されている商品情報を用いて有効化要求を行うことが好ましい。
上記に記載のプリペイドカード処理装置の処理方法において、プリペイドカード処理装置は、商品情報判別ステップにより、取得した商品情報がプリペイドカードであると判別された場合、当該商品情報を一時的に記憶する一時記憶部を備え、レシート印刷データ判別ステップは、取得したレシート印刷データに含まれる商品情報が一時記憶部に記憶されている場合、商品情報がプリペイドカードであると判別し、有効化要求ステップは、一時記憶部に記憶されている商品情報を用いて有効化要求を行うことが好ましい。
【手続補正９】
【補正対象書類名】明細書
【補正対象項目名】００１７
【補正方法】変更
【補正の内容】
【００１７】
上記に記載のプリペイドカード処理装置において、レシートを発行する印刷装置とさらに接続されて用いられ、取得したレシート印刷データを、印刷装置に出力するレシート印刷データ出力部をさらに備えたことが好ましい。
上記に記載のプリペイドカード処理装置の処理方法において、プリペイドカード処理装置は、レシートを発行する印刷装置がさらに接続され、取得したレシート印刷データを、印刷装置に出力するレシート印刷データ出力ステップをさらに備えたことが好ましい。
【手続補正１０】
【補正対象書類名】明細書
【補正対象項目名】００３９
【補正方法】変更
【補正の内容】
【００３９】
［第１実施形態］
以下、添付の図面を参照し、本発明のプリペイドカード処理装置、プリペイドカード処理システム、プリペイドカード処理装置の処理方法について説明する。なお、以下に示す各実施形態では、本発明のプリペイドカード処理装置等を、小売店の会計システムＳＹに適用した場合について例示する。
【手続補正１１】
【補正対象書類名】特許請求の範囲
【補正対象項目名】全文
【補正方法】変更
【補正の内容】
【特許請求の範囲】
【請求項１】
プリペイドカードを有効化する有効化サーバー、当該プリペイドカードを含む商品の商品情報を入力する商品情報入力装置、および当該プリペイドカードを含む商品の会計処理を行うＰＯＳ端末と接続されて用いられるプリペイドカード処理装置であって、
前記商品情報入力装置から、商品情報を取得する商品情報取得部と、
取得した前記商品情報が、有効化を必要とするプリペイドカードであるか否かを判別する商品情報判別部と、
前記商品情報が前記プリペイドカードである場合、当該商品情報を前記ＰＯＳ端末が解釈可能な商品情報データに変換する商品情報変換部と、
前記商品情報データを、前記ＰＯＳ端末に出力する商品情報データ出力部と、
前記商品情報が前記プリペイドカードである場合、前記有効化サーバーに対し、前記商品情報を送信して有効化要求を行う有効化要求部と、を備えたことを特徴とするプリペイドカード処理装置。
【請求項２】
前記有効化サーバーから、前記有効化要求に対する承認を示す有効化メッセージを取得する有効化メッセージ取得部をさらに備え、
前記商品情報変換部は、前記有効化メッセージの取得後に、前記商品情報を前記商品情報データに変換することを特徴とする請求項１に記載のプリペイドカード処理装置。
【請求項３】
レシートを発行する印刷装置とさらに接続されて用いられ、
前記ＰＯＳ端末から、前記商品情報データに基づくレシート印刷データを取得するレシート印刷データ取得部と、
取得した前記レシート印刷データを、前記印刷装置に出力するレシート印刷データ出力部と、をさらに備えたことを特徴とする請求項２に記載のプリペイドカード処理装置。
【請求項４】
前記ＰＯＳ端末から、前記商品情報データに基づくレシート印刷データを取得するレシート印刷データ取得部と、
取得した前記レシート印刷データに含まれる前記商品情報が、前記プリペイドカードであるか否かを判別するレシート印刷データ判別部と、をさらに備え、
前記有効化要求部は、前記レシート印刷データ判別部により、前記商品情報が前記プリペイドカードであると判別された場合、有効化要求を行うことを特徴とする請求項１に記載のプリペイドカード処理装置。
【請求項５】
前記商品情報判別部により、取得した前記商品情報が前記プリペイドカードであると判別された場合、当該商品情報を一時的に記憶する一時記憶部をさらに備え、
前記レシート印刷データ判別部は、取得した前記レシート印刷データに含まれる商品情報が前記一時記憶部に記憶されている場合、前記商品情報が前記プリペイドカードであると判別し、
前記有効化要求部は、前記一時記憶部に記憶されている前記商品情報を用いて有効化要求を行うことを特徴とする請求項４に記載のプリペイドカード処理装置。
【請求項６】
レシートを発行する印刷装置とさらに接続されて用いられ、
取得した前記レシート印刷データを、前記印刷装置に出力するレシート印刷データ出力部をさらに備えたことを特徴とする請求項４または５に記載のプリペイドカード処理装置。
【請求項７】
前記有効化サーバーから、前記有効化要求に対する承認を示す有効化メッセージを取得する有効化メッセージ取得部と、
前記有効化メッセージを取得したことを報知する有効化メッセージ報知部と、をさらに備えたことを特徴とする請求項６に記載のプリペイドカード処理装置。
【請求項８】
前記有効化メッセージを取得した場合、前記プリペイドカードが有効化されたことを証明する有効化証明書を発行するための証明書印刷データを生成する証明書印刷データ生成部と、
前記証明書印刷データを、前記印刷装置に出力する証明書印刷データ出力部と、をさらに備えたことを特徴とする請求項３または７に記載のプリペイドカード処理装置。
【請求項９】
前記商品情報取得部により、無効化の対象となる前記プリペイドカードの商品情報を取得した場合、前記有効化サーバーに対し、前記商品情報を送信して無効化要求を行う無効化要求部と、
前記有効化サーバーから、前記無効化要求に対する承認を示す無効化メッセージを取得する無効化メッセージ取得部と、をさらに備え、
前記証明書印刷データ生成部は、前記無効化メッセージを取得した場合、前記プリペイドカードが無効化されたことを証明する無効化証明書を発行するための証明書印刷データを生成することを特徴とする請求項８に記載のプリペイドカード処理装置。
【請求項１０】
請求項８または９に記載のプリペイドカード処理装置と、
印刷装置と、を備えたことを特徴とするプリペイドカード処理システム。
【請求項１１】
前記印刷装置は、前記レシート印刷データと前記証明書印刷データを、１枚のレシートとして発行することを特徴とする請求項１０に記載のプリペイドカード処理システム。
【請求項１２】
前記証明書印刷データは、前記レシート印刷データに対し強調して印刷されることを特徴とする請求項１０または１１に記載のプリペイドカード処理システム。
【請求項１３】
前記印刷装置として、第１の印刷装置と、第２の印刷装置と、を備え、
前記レシート印刷データ出力部は、前記第１の印刷装置に対して前記レシート印刷データを出力し、
前記証明書印刷データ出力部は、前記第２の印刷装置に対して前記証明書印刷データを出力することを特徴とする請求項１０に記載のプリペイドカード処理システム。
【請求項１４】
前記証明書印刷データ出力部は、前記第１の印刷装置および前記第２の印刷装置の両方に対して、前記証明書印刷データを出力することを特徴とする請求項１３に記載のプリペイドカード処理システム。
【請求項１５】
プリペイドカードを有効化する有効化サーバー、当該プリペイドカードを含む商品の商品情報を入力する商品情報入力装置、および当該プリペイドカードを含む商品の会計処理を行うＰＯＳ端末と接続されて用いられるプリペイドカード処理装置の処理方法であって、
前記プリペイドカード処理装置が、
前記商品情報入力装置から、商品情報を取得する商品情報取得ステップと、
取得した前記商品情報が、有効化を必要とするプリペイドカードであるか否かを判別する商品情報判別ステップと、
前記商品情報が前記プリペイドカードである場合、当該商品情報を前記ＰＯＳ端末が解釈可能な商品情報データに変換する商品情報変換ステップと、
前記商品情報データを、前記ＰＯＳ端末に出力する商品情報データ出力ステップと、
前記商品情報が前記プリペイドカードである場合、前記有効化サーバーに対し、前記商品情報を送信して有効化要求を行う有効化要求ステップと、を備えたことを特徴とするプリペイドカード処理装置の処理方法。
【請求項１６】
前記有効化サーバーから、前記有効化要求に対する承認を示す有効化メッセージを取得する有効化メッセージ取得ステップをさらに備え、
前記商品情報変換ステップは、前記有効化メッセージの取得後に、前記商品情報を前記商品情報データに変換することを特徴とする請求項１５に記載のプリペイドカード処理装置の処理方法。
【請求項１７】
前記プリペイドカード処理装置は、レシートを発行する印刷装置がさらに接続され、
前記ＰＯＳ端末から、前記商品情報データに基づくレシート印刷データを取得するレシート印刷データ取得ステップと、
取得した前記レシート印刷データを、前記印刷装置に出力するレシート印刷データ出力ステップと、をさらに備えたことを特徴とする請求項１６に記載のプリペイドカード処理装置の処理方法。
【請求項１８】
前記ＰＯＳ端末から、前記商品情報データに基づくレシート印刷データを取得するレシート印刷データ取得ステップと、
取得した前記レシート印刷データに含まれる前記商品情報が、前記プリペイドカードであるか否かを判別するレシート印刷データ判別ステップと、をさらに備え、
前記有効化要求ステップは、前記レシート印刷データ判別ステップにより、前記商品情報が前記プリペイドカードであると判別された場合、有効化要求を行うことを特徴とする請求項１５に記載のプリペイドカード処理装置の処理方法。
【請求項１９】
前記プリペイドカード処理装置は、前記商品情報判別ステップにより、取得した前記商品情報が前記プリペイドカードであると判別された場合、当該商品情報を一時的に記憶する一時記憶部を備え、
前記レシート印刷データ判別ステップは、取得した前記レシート印刷データに含まれる商品情報が前記一時記憶部に記憶されている場合、前記商品情報が前記プリペイドカードであると判別し、
前記有効化要求ステップは、前記一時記憶部に記憶されている前記商品情報を用いて有効化要求を行うことを特徴とする請求項１８に記載のプリペイドカード処理装置の処理方法。
【請求項２０】
前記プリペイドカード処理装置は、レシートを発行する印刷装置がさらに接続され、
取得した前記レシート印刷データを、前記印刷装置に出力するレシート印刷データ出力ステップをさらに備えたことを特徴とする請求項１９に記載のプリペイドカード処理装置の処理方法。